(57)【要約】    【課題】インジェクタをシリンダの中心軸に対して傾斜設置させた筒内直接噴射式内燃機関において、広い負荷範囲で安定した成層燃焼を実現する    【解決手段】筒内直接噴射式内燃機関において、インジェクタ１１は、シリンダ中心軸１４に対して傾斜したインジェクタ設置軸１５上に設置されている。ピストン４の冠面には、その中心がほぼ前記シリンダ中心軸１４上に位置する略円形の第１キャビティ１６ａと、該第１キャビティ１６ａの内側でその中心が前記第１キャビティ１６ａの中心とは異なる位置にある略円形の第２キャビティ１６ｂと、を設ける。【選択図】  図１
2005140006.tif 000002
【特許請求の範囲】
【請求項１】
シリンダヘッド、シリンダブロックのシリンダ及びこのシリンダ内を摺動するピストンによって形成される燃焼室の上面ほぼ中央にインジェクタ及び点火プラグが配設されると共に、前記インジェクタからの燃料噴射方向が前記シリンダの中心軸に対して傾斜している筒内直接噴射式内燃機関において、
前記ピストンの冠面に、その中心がほぼ前記シリンダの中心軸上に位置する略円形の第１キャビティと、前記第１キャビティの内側でその中心が前記第１キャビティの中心とは異なる位置にある略円形の第２キャビティと、を設けたことを特徴とする筒内直接噴射式内燃機関。
【請求項２】
前記インジェクタは、その先端の噴射点が前記シリンダの中心軸から離れて位置し、かつ、前記シリンダの中心軸に対して傾斜したインジェクタ設置軸上に設置されており、
前記第２キャビティの中心が、前記シリンダの中心軸に対して前記インジェクタ側に位置することを特徴とする請求項１記載の筒内直接噴射式内燃機関。
【請求項３】
前記ピストンが上死点付近にあるときに、前記第２キャビティの中心が前記インジェクタ設置軸上に位置することを特徴とする請求項２記載の筒内直接噴射式内燃機関。
【請求項４】
前記インジェクタは複数の噴孔を備える共に、前記第１キャビティの周壁から前記第２キャビティまでの距離が最も小さくなる箇所への燃料噴射を行わないように構成されていることを特徴とする請求項１〜３のいずれか１つに記載の筒内直接噴射式内燃機関。
【請求項５】
前記インジェクタは、成層高負荷運転条件においては前記第１キャビティに向けて燃料噴射を行い、成層低負荷運転条件においては前記第２キャビティに向けて燃料噴射を行うことを特徴とする請求項１〜４のいずれか１つに記載の筒内直接噴射式内燃機関。
【請求項６】
前記インジェクタは、成層高負荷運転条件においては圧縮行程に二度の燃料噴射を行い、その一度目は前記第１キャビティに向けて、二度目は前記第２キャビティに向けて燃料噴射を行うことを特徴とする請求項１〜５のいずれか１つに記載の筒内直接噴射式内燃機関。
【請求項７】
前記点火プラグは、その先端の点火ギャップが前記シリンダの中心軸上に位置することを特徴とする請求項１〜６のいずれか１つに記載の筒内直接噴射式内燃機関。
【発明の詳細な説明】
【技術分野】
【０００１】
本発明は、筒内直接噴射式内燃機関に関し、特に燃料噴射弁（インジェクタ）からの燃料噴射方向がシリンダ中心軸に対して傾斜している筒内直接噴射式内燃機関に関する。
【背景技術】
【０００２】
従来の筒内直接噴射式内燃機関としては、例えば特許文献１に記載のものがある。このものは、いわゆるセンターインジェクション型のものであって、そのピストン上面（冠面）に中央深皿部とその周囲の浅皿部とからなるキャビティを形成し、燃料噴射タイミングを変化させることで燃料噴霧を深皿部あるいは浅皿部に噴射し、燃料噴霧の成層状態を可変として（成層燃焼と弱成層燃焼とを切り換えて）燃費のよい燃焼の実現を図るようにしている。
【特許文献１】特開２０００−２６５８４１号公報
【発明の開示】
【発明が解決しようとする課題】
【０００３】
ところで、上記従来のものは、インジェクタをシリンダの中心軸線（以下、シリンダ中心軸という）に対して傾斜させて配置しており、インジェクタが燃料噴霧を偏向させるような特殊構造を持たない限り、燃料噴霧はシリンダ中心軸に対して軸対象とはならず、いずれかに偏りを生じることになる。
この偏りは、燃料噴霧が拡散するにしたがって大きくなるため、拡散度合の異なる（すなわち、燃料噴射タイミングが異なる）燃料噴霧を対象とする（衝突させる）上記深皿部と上記浅皿部とでは、インジェクタに対する位置関係も変化させる必要がある。
【０００４】
しかし、上記従来のものは、インジェクタ（の傾斜）と深皿部、浅皿部のそれぞれとの位置関係について何ら規定しておらず、この点において改良の余地がある。すなわち、上記深皿部及び浅皿部のように、拡散度合の異なる燃料噴霧を対象とする複数のキャビティを有する場合において、広い負荷範囲で安定した成層燃焼の実現を図るためには、インジェクタ（の傾斜）と各キャビティとの位置関係を詳細に規定する必要がある。
【０００５】
本発明は、このような課題に着目してなされたもので、インジェクタを傾斜させて配置させた場合において、広い負荷範囲において安定した成層燃料を実現できる筒内直接噴射式内燃機関を提供することを目的とする。
【課題を解決するための手段】
【０００６】
このため、本発明に係る筒内直接噴射式内燃機関は、インジェクタからの燃料噴射方向が前記シリンダの中心軸に対して傾斜しているものにおいて、ピストンの冠面に、その中心がほぼ前記シリンダの中心軸上に位置する略円形の第１キャビティと、該第１キャビティの内側でその中心が前記第１キャビティの中心とは異なる位置にある略円形の第２キャビティと、を設けるようにした。
【発明の効果】
【０００７】
本発明に係る筒内直接噴射式内燃機関によると、第１キャビティを燃焼室のほぼ中心位置に設けると共に、第２キャビティがシリンダ中心軸に対して傾斜する燃料噴射方向に対応させた位置に設けることができるので、インジェクタからの燃料噴射方向がシリンダの中心軸に対して傾斜している場合であっても、第１、２キャビティを利用した燃費のよい成層燃焼を実現できる。
【０００８】
すなわち、圧縮行程のピストン位置が低いときに噴射され燃料噴霧が広がった状態を対象とし、比較的大きな成層混合気を生成する際（高負荷時）に利用する第１キャビティについては、燃焼室のほぼ中心に位置させることにより、成層燃焼を壁面から離れた位置で行わせて冷却損失の少ない燃費のよい成層燃焼を実現する。一方、圧縮上死点付近で噴射されて燃料噴霧の広がりが小さい状態を対象とし、比較的小さく強い状態の成層混合気を生成する際（低負荷時）に利用する第２キャビティについては、その中心をずらして燃料噴射方向の傾斜に対応させて位置にさせるより、燃料噴霧を確実に第２キャビティ内に収めて未燃ＨＣの発生を低減する（燃費のよい成層燃焼を実現することにもなる）。これにより、高負荷〜低負荷に至る広い負荷範囲において燃費のよい安定した成層燃焼を実現できる。
【発明を実施するための最良の形態】
【０００９】
以下、本発明の実施形態を図に基づいて説明する。
図１は、本発明に係る筒内直接噴射式内燃機関（以下、単に機関という）の第１実施形態に示したものである。図に示すように、この機関の燃焼室１は、シリンダヘッド２と、シリンダブロック３と、このシリンダブロック３のシリンダ３ａ内に嵌合し、摺動するピストン４により構成される。
【００１０】
シリンダヘッド２には、燃焼室１へ開口する吸気ポート５及び排気ポート６が形成されている。これらのポート５、６を開閉する吸気弁７及び排気弁８は、それぞれ吸気弁用カム９、排気弁用カム１０を用いて駆動され、燃焼室１内には、吸気弁７を介して吸気ポート５から新気が導入され、燃焼排気は燃焼室１から排気弁８を介して排気ポート６へと排出される。
【００１１】
シリンダヘッド２には、ピストン４の冠面（上面）へ向けて燃料を燃焼室１内へ直接噴射するインジェクタ１１と、燃焼室１内の混合気を火花点火する点火プラグ１２とが、燃焼室１の上方から燃焼室１に臨ませた状態で、シリンダ中心軸１４上の近傍に互いに近接して配置されている。ここでは、特に圧縮行程後半における筒内圧力上昇時にも噴霧形状の変化が小さくなるように、インジェクタ１１として指向性の強いマルチホール型のものを用いるようにしており、また、インジェクタ１１及び点火プラグ１２の動作は、エンジンコントロールユニット（ＥＣＵ）１３により制御される。
【００１２】
ここで、図１（ｂ）に示すように、インジェクタ１１は、その先端の噴射点１１ａがシリンダ中心軸１４から機関前方側にオフセットさせてあると共に、シリンダ中心軸１４に対して同じく機関前方側に傾斜させた軸（以下、インジェクタ設置軸という）１５上に設置されている。従って、インジェクタ１１からの燃料噴射方向もシリンダ中心軸１４に対して傾斜することになる。なお、インジェクタ１１の噴射点１１ａのオフセット方向、インジェクタ設置軸１５の傾斜方向は、機関後方側としたり、吸気側あるいは排気側としたりしてもよい。
【００１３】
また、点火プラグ１２は、その先端の点火点（点火ギャップ）１２ａがシリンダ中心軸１４上に位置させてあると共に、シリンダ中心軸１４に対してインジェクタ１１とは反対側に傾斜させて設置されている。
図２は、ピストン４の形状を示したものである。図２（ａ）に示すように、ピストン４の冠面には（上方から見て）略円形のキャビティ１６が形成（凹設）されている。このキャビティ１６は、径の大きい外側キャビティ（本発明の第１キャビティに相当する）１６ａと、その内側の径の小さい内側キャビティ（本発明の第２キャビティに相当する）１６ｂとの二重構造となっているが、外側キャビティ１６ａの中心と内側キャビティ１６ｂの中心とは一致しておらず、所定方向に所定量だけずれている。
【００１４】
具体的には、外側キャビティ１６ａは、その中心がほぼシリンダ中心軸１４上に位置するように形成されている一方、内側キャビティ１６ｂは、ピストン４が上死点付近にあるときにその中心が前記インジェクタ設置軸１５上に位置するように、外側キャビティ１６ａの中心（すなわち、シリンダ中心軸１４上）からインジェクタ１１側にオフセットさせた位置となるように形成されている（図１（ｂ）、図４（ｃ）等参照）。
【００１５】
また、図２（ｂ）、（ｃ）に示すように、外側キャビティ１６ａの底面、すなわち、外側キャビティ１６ａの周壁と内側キャビティ１６ｂの周壁との間の面は、外周方向に向かってキャビティ深さが深くなるような傾斜面で形成され、内側キャビティ１６ｂの底面は、シリンダ中心軸１４に略垂直な面で形成されている。なお、外側キャビティ１６ａの底面のすべてを上記傾斜面で形成するほか、例えば、上記傾斜面とシリンダ中心軸１４に略垂直な面とで形成するように、その一部を上記傾斜面としてもよい。
【００１６】
そして、インジェクタ１１は、成層運転条件のうち比較的負荷の高い条件においては外側キャビティ１６ａに向けた燃料噴射を行い、比較的負荷の低い条件においては内側キャビティ１６ｂに向けた燃料噴射を行う。
ここで、本実施形態の燃料噴霧及び混合気の挙動について説明する。
図３は、成層高負荷運転条件における燃料噴霧及び混合気の挙動を示している。成層高負荷運転条件では、インジェクタ１１は、ＥＣＵ１３によって燃料噴射タイミングが制御され、図３（ａ）に示すように、圧縮行程におけるピストン４が比較的低い位置にあるときに燃料噴射を行う。すると、燃料噴霧は広がって、まず、外側キャビティ１６ａの底面に衝突する。このとき、外側キャビティ１６ａの底面は上記傾斜面で形成されているので、燃料噴霧が外側キャビティ１６ａの周壁側へと移動しやすくなっており、燃料噴霧は、底面に沿って周壁側へと移動した後、図３（ｂ）に示すように、周壁に沿って上昇する。
【００１７】
上昇した燃料噴霧は、インジェクタ１１からの燃料噴霧の貫徹力が強いことから、図３（ｃ）に示すように、噴霧流動によって混合気全体がピストン４とシリンダヘッド２の下面との間の空間でうずのように旋回する循環流を持つようになる。この循環流によって周囲の空気を巻き込むことで、キャビティ１６上空には濃度むらの少ない均質な大きな成層混合気塊が形成されることになる。
【００１８】
また、図示は省略したが、さらに圧縮上死点付近において二度目の燃料噴射を内側キャビティ１６ｂに向けて行うことにより、外側キャビティ１６ａ、内側キャビティ１６ｂともに均質混合気を形成して、キャビティ１６内全体により均質な成層混合気を生成するようにすることも可能である。
ここにおいて、外側キャビティ１６ａはその中心がシリンダ中心軸１４上に位置しており、燃焼室中心に配置されることになるため、燃焼期間中の火炎が燃焼室壁面より離れることとなり、冷却損失の少ない成層燃焼が行われる。また、点火プラグ１２の点火ギャップ１２ａはシリンダ中心軸１４上に位置させているので、外側キャビティ１６ａを使用（利用）して燃焼室中心に生成される比較的大きな成層混合気に対して、燃焼室中心（すなわち、成層混合気の中心）からの燃焼を実現することができ、燃焼期間が短くなってより冷却損失低減効果を得ることができる。
【００１９】
図４は、成層低負荷運転条件における燃料噴霧及び混合気の挙動を示している。成層低負荷運転条件における混合気形成も上記成層高負荷運転条件とほぼ同じ過程であるが、内側キャビティ１６ｂを利用する点が相違する。すなわち、インジェクタ１１は、ＥＣＵ１３によって燃料噴射タイミングが制御され、図４（ａ）に示すように、圧縮行程のピストン４が高い位置にあるとき（上死点付近にあるとき）に燃料噴射を行う。すると、燃料噴霧は、まず、内側キャビティ６４ｂの底面に衝突し、その後、底面及び内側キャビティ１６ｂの周壁をへて、上記成層高負荷運転条件の場合と同様に、循環流を持つ均質な小さい成層混合気塊がキャビティ１６上空に形成される（図４（ｂ）、（ｃ）参照）。
【００２０】
ここにおいて、内側キャビティ１５ｂは、ピストン４が上死点付近に位置するときに、その中心が前記インジェクタ設置軸１５上に位置するように形成されているので、インジェクタ１１の傾斜設置に伴う燃料噴霧のこぼれが効果的に防止される。
図５は、本実施形態で用いたインジェクタ１１からの燃料噴霧形状を示している。上記したように、インジェクタとしてマルチホール型のものを用いているが、本実施形態においては、図６に示す通常のマルチホール型のインジェクタに比べて、インジェクタを傾斜設置した際に最下部に位置する噴孔を無くしたものを用いている。
【００２１】
内側キャビティ１６ｂは、その中心が外側キャビティ１６ａの中心に対してインジェクタ１１側にオフセットさせて形成されているため、外側キャビティ１６ａの底面が狭く、傾斜が急になってしまうことから、噴霧流動による循環流が生じ難い。このため、前記最下部に位置する噴孔を無くして当該部分からの、すなわち、外側キャビティ１６ａの周壁から内側キャビティ１６ｂまでの距離が最も小さい部分を中心とした所定領域への燃料噴射を行わないようにすることで（図５（ｂ）参照）、外側キャビティ１６ａを使用（利用）する場合において、不均一な混合気が形成されることをあらかじめ抑制して未燃ＨＣの増加や耐ＥＧＲ性能の悪化を防止すると共に、キャビティからの燃料噴霧のこぼれを防止するようにしている。
【００２２】
なお、本実施形態では、上記最下部に位置する噴孔のみを無くしているが、無くすべき噴孔は適宜設定されるものである（１つであっても、複数であってもよい）。
この実施形態によると、インジェクタ１１は、その先端の噴射点１１ａがシリンダ中心軸１４から離れて位置し、かつ、シリンダ中心軸１４に対して傾斜したインジェクタ設置軸１５上に設置され、内側キャビティ（第２キャビティ）１６ｂの中心が、シリンダ中心軸１４に対してインジェクタ１１側に位置しているので、レイアウト上の制限等からインジェクタ１１をシリンダ中心軸１４上に設置できない場合であっても、内側キャビティ１６ｂを燃料噴射方向に対応させて設けることができ、燃料噴霧のこぼれを防止して未燃ＨＣの発生を抑制できる。
【００２３】
また、ピストン４が上死点付近にあるときに、内側キャビティ（第２キャビティ）１６ｂの中心がインジェクタ設置軸１５上に位置しているので、内側キャビティ１６ｂを利用する際に、燃料噴霧をより効果的に内側キャビティ１６ｂ内に収めて未燃ＨＣの発生を低減できる。
また、インジェクタ１１は、通常のマルチホール型のインジェクタに比べて、傾斜設置した際に最下部に位置する噴孔を無くし、外側キャビティ（第１キャビティ）１６ａの周壁から内側キャビティ（第２キャビティ）１６ｂまでの距離が最も小さくなる箇所、すなわち、循環流が生じ難い部分への燃料噴射を行わないように構成されているので、外側キャビティ１６ａを使用（利用）時に不均一な混合気塊が形成されることを防止できる。
【００２４】
なお、インジェクタ１１としては、貫徹力が強く背圧下においても（噴霧）形状の変化が少ないマルチホール側のものを用いることで、噴霧流動を利用した循環流が効果的に形成される。これにより、例えば、大量にＥＧＲを導入した場合であっても均質な混合気を生成することができ、ＮＯｘの発生を抑制しつつ、燃費のよい成層燃焼を実現できる。
また、インジェクタ１１が、成層高負荷運転条件においては外側キャビティ（第１キャビティ）１６ａに向けて燃料噴射を行い、成層低負荷運転条件においては内側キャビティ（第２キャビティ）１６ｂに向けて燃料噴射を行うことで、成層運転領域における負荷に応じて（燃料噴射タイミングを制御して）適切な大きなの成層混合気塊を生成し、負荷によらず燃費のよい成層燃焼を実現できる。
【００２５】
また、インジェクタ１１が、成層高負荷運転条件においては圧縮行程に二度の燃料噴射を行い、その一度目は外側キャビティ（第１キャビティ）１６ａに向けて、二度目は内側キャビティ（第２キャビテ）１６ｂに向けて燃料噴射を行うことにより、キャビティ１６内全体にむらのない均質な成層混合気を生成することができ、高負荷運転時においてより燃費のよい成層燃焼を実現できる。
【００２６】
また、点火プラグ１２は、その先端の点火ギャップ１２ａがシリンダ中心軸１４上に位置するので、外側キャビティ１６ａを利用して燃焼室中心に生成される大きな成層混合気に対して燃焼室中心からの燃焼を実現でき、燃焼期間を短くできる。これにより、特に成層高負荷運転条件において、さらなる冷却損失低減効果を得ることができる。
【図面の簡単な説明】
【００２７】
【図１】本発明の実施形態に係る筒内直接噴射式内燃機関を示す図である。
【図２】ピストン形状を示す図である。
【図３】成層高負荷運転条件における燃料噴霧及び混合気の挙動を示す図である。
【図４】成層低負荷運転条件における燃料噴霧及び混合気の挙動を示す図である。
【図５】本実施形態のインジェクタからの燃料噴霧形状を示す図である。
【図６】通常（従来）のマルチホール型のインジェクションからの燃料噴霧形状を示す図である。
【符号の説明】
【００２８】
１…燃焼室、２…シリンダヘッド、３…シリンダブロック、３ａ…シリンダ、４…ピストン、７…吸気弁、８…排気弁、１１…インジェクタ、１１ａ…噴射点、１２…点火プラグ、１２ａ…点火ギャップ、１３…エンジンコントロールユニット（ＥＣＵ）、１４…シリンダ中心軸、１５…インジェクタ設置軸（燃料噴射方向）、１６ａ…外側キャビティ、１６ｂ…内側キャビティ
【図１】
2005140006.tif 000003
【図２】
2005140006.tif 000004
【図３】
2005140006.tif 000005
【図４】
2005140006.tif 000006
【図５】
2005140006.tif 000007
【図６】
2005140006.tif 000008